(57)【要約】【課題】きめ細かい空調制御を行うことが可能な空調システムを提供する。【解決手段】空調システムは、室内熱交換器３２と、ファン３８と、圧縮機２２と、室外熱交換器２１と、制御装置１０とを備える。ファン３８は、室内熱交換器３２等によって冷房又は暖房された空気を、住宅の部屋へ、ダクトを介して送風する。圧縮機２２は、能力制御が可能で、住宅の外に設置される。室外熱交換器２１は、室内熱交換器３２および圧縮機２２とともにヒートポンプを形成する。制御装置１０は、圧縮機２２の能力を制御する。【選択図】図４
2007285593.tif 000002
【特許請求の範囲】
【請求項１】
周囲の空気と、内部を流れる冷媒との間で熱交換を行わせる第１熱交換装置（３２，４２）と、
少なくとも前記第１熱交換装置によって冷房又は暖房された前記空気を、住宅の複数の部屋へダクトを介して送風するファン（３８，４８）と、
前記第１熱交換装置とともにヒートポンプを形成し、前記住宅の外に設置される、能力制御が可能な圧縮機（２２）と、
前記第１熱交換装置および前記圧縮機とともに前記ヒートポンプを形成し、前記住宅の外に設置され、前記住宅の外の空気と前記冷媒との間で熱交換を行わせる第２熱交換装置（２１）と、
前記圧縮機の能力を制御する制御部（１０，１３）と、
を備えた空調システム。
【請求項２】
前記圧縮機は、インバータ制御により回転数が変わる電動モータの駆動力を使って前記冷媒の圧縮を行い、
前記制御部は、前記インバータ制御を行う、
請求項１に記載の空調システム。
【請求項３】
前記第１熱交換装置は、複数の熱交換器（３２，４２）から構成されており、
前記複数の熱交換器それぞれに流れる冷媒の量を調整するための複数のバルブ（３３，３４）をさらに備え、
前記制御部は、さらに、前記複数のバルブを制御して、前記複数の熱交換器それぞれに流れる冷媒の量を調整する、
請求項１に記載の空調システム。
【請求項４】
前記複数の熱交換器に対して設けられ、前記熱交換器の周囲に流れる前記空気の量を調整する、ダンパー（９５）をさらに備え、
前記制御部は、さらに、前記ダンパーを制御する、
請求項３に記載の空調システム。
【請求項５】
前記ファン（３８，４８）は、前記複数の熱交換器（３２，４２）それぞれに対して設けられる、
請求項３に記載の空調システム。
【請求項６】
住宅の部屋にダクト（１５１）を介して空調空気を供給する空調システムであって、
前記ダクトに送る空気を冷却および／または加熱できるヒートポンプと、
前記ダクトに送る空気を加熱できる、前記ヒートポンプ以外の加熱装置（１３６）と、
前記ヒートポンプの運転状態に応じて、前記ヒートポンプによる空気の冷却および／または加熱の程度と、前記加熱装置による空気の加熱の程度とを調節する制御部（１１２）と、
を備えた空調システム。
【請求項７】
前記制御部は、前記ヒートポンプの運転状態に応じて前記ヒートポンプのエネルギー消費効率と前記加熱装置のエネルギー消費効率とを比較して前記調節を行う効率優先制御を実施する、
請求項６に記載の空調システム。
【請求項８】
前記制御部は、前記ヒートポンプの運転状態に応じて前記ヒートポンプが単位時間当たりに消費するエネルギー費用と前記加熱装置が単位時間当たりに消費するエネルギー費用とを比較して前記調節を行う費用優先制御を実施する、
請求項６に記載の空調システム。
【請求項９】
前記加熱装置は、燃焼により加熱を行う、
請求項６に記載の空調システム。
【請求項１０】
前記加熱装置は、電熱ヒータである、
請求項６に記載の空調システム。
【請求項１１】
周囲の空気と、内部を流れる冷媒との間で熱交換を行わせる第１熱交換装置（１３２）と、
前記第１熱交換装置とともにヒートポンプを形成し、住宅の外に設置される、能力制御が可能な圧縮機（１２２）と、
前記第１熱交換装置および前記圧縮機とともに前記ヒートポンプを形成し、前記住宅の外に設置され、前記住宅の外の空気と前記冷媒との間で熱交換を行わせる第２熱交換装置（１２１）と、
前記圧縮機の能力を制御するヒートポンプ制御部（１１３）と、
前記住宅の中の設定温度の入力を行うコントロール・インターフェース（１１１）と、
前記ヒートポンプ制御部および前記コントロール・インターフェースと直接的にあるいは間接的に電気的に接続され、前記ヒートポンプ制御部と双方向通信が可能であり、少なくとも前記ヒートポンプ以外の機器に指令を出すシステム制御部（１１２）と、
を備えた空調システム。
【請求項１２】
前記ヒートポンプ以外の機器は、燃焼により加熱を行う加熱装置、電熱ヒータ、住宅の複数の部屋へ空調空気を送風するファン、加湿器、全熱交換器および顕熱交換器のうちの少なくとも１つである、
請求項１１に記載の空調システム。
【請求項１３】
前記システム制御部は、前記ヒートポンプ以外の機器および前記ヒートポンプに対して指令を出す、
請求項１１に記載の空調システム。
【請求項１４】
住宅の空調の設定温度を、時間帯および／または曜日により変えることができる、設定温度スケジュール部（１１２ｂ）と、
エネルギーを使用して前記住宅の空調を行う空調部と、
前記設定温度スケジュール部において区分されている時間帯および／または曜日のうち、所定の時間帯および／または曜日のときには、前記設定温度を優先して前記空調部を制御し、所定の時間帯および／または曜日のとき以外のときには、前記設定温度よりも前記エネルギーの単位時間当たりの消費量が所定上限値を超えないようにすることを優先して前記空調部を制御する、制御部（１１２）と、
を備えた空調システム。
【請求項１５】
前記所定の時間帯および／または曜日は、平日の人が通常不在である時間帯およびまたは人が通常就寝している時間帯である、
請求項１４に記載の空調システム。
【請求項１６】
住宅の部屋にダクト（１５１）を介して空調空気を供給する空調システムであって、
前記ダクトに送る空気を冷却および／または加熱できるヒートポンプと、
前記ヒートポンプにより冷却または加熱された前記空調空気をダクトを介して住宅の部屋に送るファン（１３８）と、
除湿運転の指示を入力できるコントロール・インターフェース（１１１）と、
前記コントロール・インターフェースに前記除湿運転の指示が入力されたときに、前記ヒートポンプおよび／またはファンを制御して前記空調空気を除湿させる除湿制御を実施する制御部（１１２）と、
を備えた空調システム。
【請求項１７】
住宅の部屋にダクト（１５１）を介して空調空気を供給する空調システムであって、
前記ダクトに送る空気を冷却および／または加熱できるヒートポンプと、
前記ヒートポンプにより冷却または加熱された前記空調空気をダクトを介して住宅の部屋に送るファン（１３８）と、
前記住宅の外の空気の外気温度を測定する外気温センサ（１２７）と、
前記外気温センサが測定した前記外気温度が所定値を下回ったときに、定期的に、前記ヒートポンプおよび／またはファンを制御して前記空調空気を除湿させる定期除湿制御を実施する制御部（１１２）と、
を備えた空調システム。
【請求項１８】
住宅の部屋にダクト（１５１）を介して空調空気を供給する空調システムであって、
能力制御が可能な圧縮機（１２２）を有し、前記ダクトに送る空気を冷却および／または加熱できるヒートポンプと、
前記ヒートポンプにより冷却または加熱された前記空調空気をダクトを介して住宅の部屋に送る、送風量の調整が可能なファン（１３８）と、
除湿運転時において、前記ファンの送風量を低下させるとともに前記圧縮機の能力を上げる除湿制御部（１１２）と、
を備えた空調システム。
【請求項１９】
住宅の部屋に空調空気を供給する空調システムであって、
前記住宅の部屋に送る空気を冷却および／または加熱できるヒートポンプと、
前記住宅の部屋の所定時刻における設定温度の入力を行うコントロール・インターフェース（１１１）と、
前記所定時刻に前記住宅の部屋が前記設定温度になるように、前記所定時刻よりも前に目標空調温度を前記設定温度に変える予備制御を行う制御部（１１２ｂ）と、
過去の前記予備制御の状態に応じて、次の前記予備制御において前記目標空調温度を前記設定温度に変える開始時刻を調整する学習改良部（１１２）と、
を備えた空調システム。
【請求項２０】
前記住宅の部屋に送る空気を加熱できる、前記ヒートポンプ以外の加熱装置をさらに備え、
前記制御部は、前記予備制御において、前記ヒートポンプに加えて前記加熱装置にも指令を送る、
請求項１９に記載の空調システム。
【請求項２１】
前記住宅の外の空気の外気温度を測定する外気温センサをさらに備え、
前記学習改良部は、さらに前記外気温度に基づいて前記開始時刻を調整する、
請求項１９に記載の空調システム。
【請求項２２】
住宅の部屋にダクトを介して空調空気を供給する空調システムであって、
周囲の空気と、内部を流れる冷媒との間で熱交換を行わせる第１熱交換装置（１３２）と、
前記第１熱交換装置とともにヒートポンプを形成し、住宅の外に設置される、能力制御が可能な圧縮機（１２２）と、
前記第１熱交換装置および前記圧縮機とともに前記ヒートポンプを形成し、前記住宅の外に設置され、前記住宅の外の空気と前記冷媒との間で熱交換を行わせる第２熱交換装置（１２１）と、
前記圧縮機の能力を制御するヒートポンプ制御部（１１３）と、
前記住宅の外の空気の外気温度を測定して、前記ヒートポンプ制御部へ送る外気温センサ（１２７）と、
前記ヒートポンプ制御部と直接的に又は間接的に接続され、住宅の中の設定温度の入力を行う入力部（８２〜８５）と、前記外気温度を表示する表示部（８１）とを有する、コントロール・インターフェース（１１１）と、
を備えた空調システム。
【請求項２３】
住宅の部屋にダクト（１５１）を介して空調空気を供給する空調システムであって、
前記ダクトに送る空気を冷却および／または加熱できるヒートポンプと、
表示装置（８１）を有し、前記住宅の中の設定温度の入力を行う入力装置（８２〜８５）をさらに有する又は前記入力装置を接続可能なコントロール・インターフェース（１１１）と、
前記設定温度に基づき、前記ヒートポンプを制御するヒートポンプ制御部（１１３）と、
前記ヒートポンプの故障を検知する故障検知部（１１３ｂ）と、
前記ヒートポンプの故障時の連絡先を記憶する連絡先記憶部（１１２ａ）と、
前記故障検知部により前記ヒートポンプの故障が検知されたときに、前記連絡先記憶部に記憶されている前記連絡先を、前記コントロール・インターフェースの表示装置に表示させる連絡先表示部（１１２）と、
を備えた空調システム。
【請求項２４】
前記入力装置は、前記コントロール・インターフェースに接続される入力機能付きのコンピュータ、前記コントロール・インターフェースに接続される入力専用機器、および前記コントロール・インターフェースあるいは前記コントロール・インターフェースに接続される機器に内蔵される記録媒体の読み取り装置、のいずれかである、
請求項２３に記載の空調システム。
【請求項２５】
前記コントロール・インターフェースに内蔵あるいは接続され、住宅の空調の設定温度を時間帯および／または曜日により変えることができる、設定温度スケジュール部をさらに備え、
前記入力装置は、前記設定温度を、時間帯および／または曜日ごとに設定入力することができる、
請求項２４に記載の空調システム。
【発明の詳細な説明】
【技術分野】
【０００１】
本発明は、空調システム、特に、住宅等の各部屋を冷暖房する空調システムに関する。
【背景技術】
【０００２】
最近の住宅等の空調システムにおいては、燃料の燃焼エネルギーを利用する暖房装置などに付加されたり、暖房装置などに置き換わる形で、ヒートポンプが採用されることが多くなっている。ヒートポンプは、冷媒を利用して、住宅の外の空気（大気）の熱エネルギーを汲み上げ、住宅の中を冷やしたり暖めたりする装置であり、大気の熱エネルギーを利用するため消費エネルギーを低減することができるというメリットを有する。ヒートポンプでは、加熱または冷却の能力Ｑを、その能力Ｑを得るための消費エネルギーＬで割った値であるＣＯＰ（Coefficient of Performance；成績係数やエネルギー消費効率と呼ばれる指標）が１．０を大きく上回ることが多い。
【０００３】
一方、米国においては、平屋や２階建ての住宅が多く、ヒートポンプを設置する場合、１台、多くても２台のヒートポンプも室内コイル（熱交換器）が地下室や天井裏に設置され、そこから各部屋にダクトを介して空調空気を送る空調システムを採用することが多い。例えば、特許文献１に開示されているような、ヒートポンプの室内コイルやブロワモータアッセンブリを備えたユニットが住宅の中に設置され、室外コイルなどにより住宅の外の空気から汲み上げた大気の熱エネルギーを各部屋への供給空気に放出して住宅の空調を行う。
【特許文献１】特開平１１−３１６０３９号公報
【発明の開示】
【発明が解決しようとする課題】
【０００４】
しかし、米国における従来の住宅の空調システムにおいては、きめ細かい空調制御を行うことが難しいシステム構成となっている。
また、ヒートポンプと、それ以外の加熱装置とが混在する空調システムにおいて、省エネルギー等に配慮した最適な空調制御の実施が困難である。
また、住宅の空調の設定温度の入力を行うインターフェースのユニットに制御機能を集中させる構成が、フレキシブルで省エネルギーにもつながる空調制御を阻害していることも多い。
【０００５】
また、ヒートポンプが除湿運転を自動的に行う機能を持つ空調システムにおいて、その除湿運転のタイミングや運転方法が必ずしも好ましいものとなっておらず、さらなる制御の最適化が必要と思われる。
また、住宅の空調の設定温度をスケジュールとして設定することができる空調システムが米国において存在するが、そのスケジュールに合わせた空調制御が不十分で、スケジュールに合った設定温度に到達しない状態が続くこともある。
【０００６】
また、住宅に設置される空調システムのコントロール・インターフェースが、必ずしも十分な情報を示していないと言える。
本発明は、上記の各課題を解消あるいは低減することにある。
【課題を解決するための手段】
【０００７】
第１発明に係る空調システムは、第１熱交換装置と、ファンと、圧縮機と、第２熱交換装置と、制御部とを備えている。第１熱交換装置は、周囲の空気と、内部を流れる冷媒との間で熱交換を行わせる。ファンは、少なくとも第１熱交換装置によって冷房又は暖房された空気を、住宅の複数の部屋へ、ダクトを介して送風する。圧縮機は、第１熱交換装置とともにヒートポンプを形成する。圧縮機は、能力制御が可能な機械であり、住宅の外に設置される。第２熱交換装置は、第１熱交換装置および圧縮機とともにヒートポンプを形成する。第２熱交換装置は、住宅の外に設置されており、住宅の外の空気と冷媒との間で熱交換を行わせる。制御部は、圧縮機の能力を制御する。
ここでは、能力制御が可能な圧縮機を、制御部により制御するため、ダクトを介して住宅の各部屋へ送風する空調空気の空調の程度をきめ細かく調整することができる。
なお、第１熱交換装置は、住宅の中に設置されるユニットに含まれていてもよいし、住宅の外に設置されるユニットに含まれていてもよい。
【０００８】
第２発明に係る空調システムは、第１発明において、圧縮機が、インバータ制御により回転数が変わる電動モータの駆動力を使って冷媒の圧縮を行う機械である。そして、制御部は、圧縮機のインバータ制御を行う。
【０００９】
第３発明に係る空調システムは、第１発明において、第１熱交換装置が、複数の熱交換器から構成されている。また、この空調システムは、複数の熱交換器それぞれに流れる冷媒の量を調整するための複数のバルブをさらに備えている。そして、制御部は、さらに、複数のバルブを制御して、複数の熱交換器それぞれに流れる冷媒の量を調整する。
ここでは、複数の熱交換器に流れる冷媒の量をそれぞれ調整することができるため、複数の部屋に対して異なる空調度合いの空気を送ることができる。
【００１０】
第４発明に係る空調システムは、第３発明において、ダンパーをさらに備えている。このダンパーは、複数の熱交換器に対して設けられており、熱交換器の周囲に流れる空気の量を調整する。そして、制御部は、さらに、ダンパーを制御する。
ここでは、複数の部屋に対して異なる空調度合いの空気を送ることができ、且つ、複数の部屋に対して送る空調空気の量を調整することができる。
【００１１】
第５発明に係る空調システムは、第３発明において、ファンが、複数の熱交換器それぞれに対して設けられる。
ここでは、複数の部屋に対して異なる空調度合いの空気を送ることができ、且つ、複数の部屋に対して送る空調空気の量を調整することができる。
【００１２】
第６発明に係る空調システムは、住宅の部屋にダクトを介して空調空気を供給する空調システムであって、ヒートポンプと、ヒートポンプ以外の加熱装置と、制御部とを備えている。ヒートポンプは、ダクトに送る空気を冷却および／または加熱できる。加熱装置は、ダクトに送る空気を加熱できる。制御部は、ヒートポンプの運転状態に応じて、ヒートポンプによる空気の冷却および／または加熱の程度と、加熱装置による空気の加熱の程度とを調節する。
ここでは、従来のように外気温度などに基づいて単純にヒートポンプを作動させるか加熱装置を作動させるかを決めるのではなく、ヒートポンプの運転状態に応じて調節するように構成しているため、トータルの効率が高くなるように調節することができる。また、ヒートポンプが消費するエネルギーの単価と加熱装置が消費するエネルギーの単価とをデータとして考慮に入れ、トータルのエネルギー消費のコストを低減させることも可能となる。
【００１３】
第７発明に係る空調システムは、第６発明において、制御部が、効率優先制御を実施する。効率優先制御は、ヒートポンプの運転状態に応じて、ヒートポンプのエネルギー消費効率と加熱装置のエネルギー消費効率とを比較して、ヒートポンプによる空気の冷却および／または加熱の程度と、加熱装置による空気の加熱の程度との調節を行う。
【００１４】
第８発明に係る空調システムは、第６発明において、制御部が、費用優先制御を実施する。費用優先制御では、ヒートポンプの運転状態に応じて、ヒートポンプが単位時間当たりに消費するエネルギー費用と加熱装置が単位時間当たりに消費するエネルギー費用とを比較して、ヒートポンプによる空気の冷却および／または加熱の程度と、加熱装置による空気の加熱の程度との調節を行う。
【００１５】
第９発明に係る空調システムは、第６発明において、加熱装置が、燃焼により加熱を行うものである。例えば、加熱装置は、石油やガスといった燃料を燃焼させて熱を得る機械である。
【００１６】
第１０発明に係る空調システムは、第６発明において、加熱装置は、電熱ヒータである。
【００１７】
第１１発明に係る空調システムは、第１熱交換装置と、圧縮機と、第２熱交換装置と、ヒートポンプ制御部と、コントロール・インターフェースと、システム制御部とを備えている。第１熱交換装置は、周囲の空気と、内部を流れる冷媒との間で熱交換を行わせる。圧縮機は、第１熱交換装置とともにヒートポンプを形成する。圧縮機は、能力制御が可能な機械であり、住宅の外に設置される。第２熱交換装置は、第１熱交換装置および圧縮機とともにヒートポンプを形成する。第２熱交換装置は、住宅の外に設置されており、住宅の外の空気と冷媒との間で熱交換を行わせる。ヒートポンプ制御部は、圧縮機の能力を制御する。コントロール・インターフェースは、住宅の中の設定温度の入力を行う。システム制御部は、ヒートポンプ制御部およびコントロール・インターフェースと直接的にあるいは間接的に電気的に接続されている。システム制御部は、ヒートポンプ制御部と双方向通信が可能であり、少なくともヒートポンプ以外の機器に指令を出す。
ここでは、空調システム全体のコントロール機能をコントロール・インターフェースに持たせていた従来の空調システムとは違い、コントロール・インターフェースとは別のシステム制御部を配備して、そのシステム制御部とヒートポンプ制御部との間で双方向通信を行わせる構成を採っている。このため、ヒートポンプの運転状態などのデータを入手して、システム制御部において、空調システムのヒートポンプ以外の機器などに対して、種々のきめ細かい制御を行うことが可能になる。
【００１８】
第１２発明に係る空調システムは、第１１発明において、ヒートポンプ以外の機器は、燃焼により加熱を行う加熱装置、電熱ヒータ、住宅の複数の部屋へ空調空気を送風するファン、加湿器、全熱交換器および顕熱交換器のうちの少なくとも１つである。
【００１９】
第１３発明に係る空調システムは、第１１発明において、システム制御部は、ヒートポンプ以外の機器およびヒートポンプに対して指令を出す。
【００２０】
第１４発明に係る空調システムは、設定温度スケジュール部と、空調部と、制御部とを備えている。設定温度スケジュール部は、住宅の空調の設定温度を、時間帯および／または曜日により変えることができる。空調部は、エネルギーを使用して住宅の空調を行う。制御部は、設定温度スケジュール部において区分されている時間帯および／または曜日のうち、所定の時間帯および／または曜日のときには、設定温度を優先して空調部を制御し、所定の時間帯および／または曜日のとき以外のときには、設定温度よりもエネルギーの単位時間当たりの消費量が所定上限値を超えないようにすることを優先して空調部を制御する。
ここでは、所定の時間帯および／または曜日のときに所謂デマンド制御を行い、それ以外のときにデマンド制御を行わないという選択ができるようになる。デマンド制御とは、リアルタイムで空調システムが消費しているエネルギー量を監視して、所定の単位時間当たりの消費エネルギー量が上限値を超えないように、空調部の空調の程度を抑制する制御である。
【００２１】
第１５発明に係る空調システムは、第１４発明において、所定の時間帯および／または曜日は、平日の人が通常不在である時間帯およびまたは人が通常就寝している時間帯である。
ここでは、デマンド制御が実施されてもあまり不快感が大きくならないときにデマンド制御を行うため、省エネルギーや空調システムの消費エネルギーコストの低減を図りつつ、住宅の中をユーザにとって快適な空間に保持することができる。
【００２２】
第１６発明に係る空調システムは、住宅の部屋にダクトを介して空調空気を供給する空調システムであって、ヒートポンプと、ファンと、コントロール・インターフェースと、制御部とを備えている。ヒートポンプは、ダクトに送る空気を冷却および／または加熱できる。ファンは、ヒートポンプにより冷却または加熱された空調空気をダクトを介して住宅の部屋に送る。コントロール・インターフェースは、除湿運転の指示を入力できる。制御部は、コントロール・インターフェースに除湿運転の指示が入力されたときに、ヒートポンプおよび／またはファンを制御して空調空気を除湿させる除湿制御を実施する。
従来においては、湿度センサなどの検出結果から高湿度であるときに自動的に除湿運転が行われてしまうが、ここではコントロール・インターフェースに除湿運転の指示が入力されたときに除湿制御を実施するため、住宅にいるユーザの快適度を不用意に損なうことが防止される。
【００２３】
第１７発明に係る空調システムは、住宅の部屋にダクトを介して空調空気を供給する空調システムであって、ヒートポンプと、ファンと、外気温センサと、制御部とを備えている。ヒートポンプは、ダクトに送る空気を冷却および／または加熱できる。ファンは、ヒートポンプにより冷却または加熱された空調空気を、ダクトを介して住宅の部屋に送る。外気温センサは、住宅の外の空気の外気温度を測定する。制御部は、外気温センサが測定した外気温度が所定値を下回ったときに、定期的に、ヒートポンプおよび／またはファンを制御して空調空気を除湿させる定期除湿制御を実施する。
ここでは、外気温が下がったときに定期的に除湿するため、効率的に除湿ができるようになる。なお、この定期除湿制御は、特に、高温多湿地域において有用である。
【００２４】
第１８発明に係る空調システムは、住宅の部屋にダクトを介して空調空気を供給する空調システムであって、ヒートポンプと、ファンと、除湿制御部とを備えている。ヒートポンプは、能力制御が可能な圧縮機を有しており、ダクトに送る空気を冷却および／または加熱できる。ファンは、ヒートポンプにより冷却または加熱された空調空気を、ダクトを介して住宅の部屋に送る。ファンは、送風量の調整が可能である。除湿制御部は、除湿運転時において、ファンの送風量を低下させるとともに圧縮機の能力を上げる。
ここでは、除湿運転時において、ファンの送風量が低下するとともに圧縮機の能力が上がるため、不意に温度が下がって住宅にいるユーザが不快に感じることを抑えつつ、除湿量を確保することができる。
【００２５】
第１９発明に係る空調システムは、住宅の部屋に空調空気を供給する空調システムであって、ヒートポンプと、コントロール・インターフェースと、制御部と、学習改良部とを備えている。ヒートポンプは、能力制御が可能な圧縮機を有しており、住宅の部屋に送る空気を冷却および／または加熱できる。コントロール・インターフェースは、住宅の部屋の所定時刻における設定温度の入力を行う。制御部は、所定時刻に住宅の部屋が設定温度になるように、所定時刻よりも前に目標空調温度を設定温度に変える予備制御を行う。学習改良部は、過去の予備制御の状態に応じて、次の予備制御において目標空調温度を設定温度に変える開始時刻を調整する。
ここでは、過去の予備制御の状態に応じて、所定時刻に先駆けて目標空調温度を前倒しで設定温度にする開始時刻を決めるため、従来のように現在温度と所定時刻の設定温度との差だけに応じて一律に開始時刻を決定する空調システムに較べて、定めた所定時刻に遅れることなく設定温度に住宅の温度が推移することが期待できる。
【００２６】
第２０発明に係る空調システムは、第１９発明において、ヒートポンプ以外の加熱装置をさらに備えている。この加熱装置は、住宅の部屋に送る空気を加熱できる。そして、制御部は、予備制御において、ヒートポンプに加えて加熱装置にも指令を送る。
【００２７】
第２１発明に係る空調システムは、第１９発明において、住宅の外の空気の外気温度を測定する外気温センサをさらに備えている。そして、学習改良部は、さらに外気温度に基づいて開始時刻を調整する。
【００２８】
第２２発明に係る空調システムは、住宅の部屋にダクトを介して空調空気を供給する空調システムであって、第１熱交換装置と、圧縮機と、第２熱交換装置と、ヒートポンプ制御部と、外気温センサと、コントロール・インターフェースとを備えている。第１熱交換装置は、周囲の空気と、内部を流れる冷媒との間で熱交換を行わせる。圧縮機は、第１熱交換装置とともにヒートポンプを形成する。圧縮機は、住宅の外に設置されており、能力制御が可能である。第２熱交換装置は、第１熱交換装置および圧縮機とともにヒートポンプを形成する。第２熱交換装置は、住宅の外に設置されており、住宅の外の空気と冷媒との間で熱交換を行わせる。ヒートポンプ制御部は、圧縮機の能力を制御する。外気温センサは、住宅の外の空気の外気温度を測定して、ヒートポンプ制御部へ送る。コントロール・インターフェースは、ヒートポンプ制御部と直接的に又は間接的に接続されている。コントロール・インターフェースは、住宅の中の設定温度の入力を行う入力部と、外気温度を表示する表示部とを有する。
ここでは、コントロール・インターフェースの表示部に、測定された外気温度が表示されるため、現在温度と設定温度とが少し乖離しているような場合に、外気温度の影響があるか否かといった判断をユーザが行えるようになる。
【００２９】
第２３発明に係る空調システムは、住宅の部屋にダクトを介して空調空気を供給する空調システムであって、ヒートポンプと、コントロール・インターフェースと、ヒートポンプ制御部と、故障検知部と、連絡先記憶部と、連絡先表示部とを備えている。ヒートポンプは、ダクトに送る空気を冷却および／または加熱できる。コントロール・インターフェースは、表示装置を有している。コントロール・インターフェースは、住宅の中の設定温度の入力を行う入力装置をさらに有している、又は、住宅の中の設定温度の入力を行う入力装置を接続することができる。ヒートポンプ制御部は、設定温度に基づき、ヒートポンプを制御する。故障検知部は、ヒートポンプの故障を検知する。連絡先記憶部は、ヒートポンプの故障時の連絡先を記憶する。連絡先表示部は、故障検知部によりヒートポンプの故障が検知されたときに、連絡先記憶部に記憶されている連絡先を、コントロール・インターフェースの表示装置に表示させる。
ここでは、ヒートポンプが故障したときに、コントロール・インターフェースの表示装置に連絡先が表示されるため、ユーザが連絡先を調べる手間が省け、また確実に正しい連絡先に連絡を取ることができるようになる。
【００３０】
第２４発明に係る空調システムは、第２３発明において、入力装置は、コントロール・インターフェースに接続される入力機能付きのコンピュータ、コントロール・インターフェースに接続される入力専用機器、およびコントロール・インターフェースあるいはコントロール・インターフェースに接続される機器に内蔵される記録媒体の読み取り装置、のいずれかである。
【００３１】
第２５発明に係る空調システムは、第２４発明において、設定温度スケジュール部をさらに備えている。設定温度スケジュール部は、コントロール・インターフェースに内蔵あるいは接続されている。設定温度スケジュール部は、住宅の空調の設定温度を、時間帯および／または曜日により変えることができる。また、入力装置は、設定温度を、時間帯および／または曜日ごとに設定入力することができる。
【発明の効果】
【００３２】
第１〜第５発明に係る空調システムでは、きめ細かい空調制御を行うことが容易となる。
第６〜第１０発明に係る空調システムでは、ヒートポンプの運転状態に応じて、ヒートポンプによる空気の冷却および／または加熱の程度と、加熱装置による空気の加熱の程度とを調節するため、空調システムのトータルの効率が高くなるようすることや、トータルのエネルギー消費のコストを低減させることが可能となる。
第１１〜第１３発明に係る空調システムでは、コントロール・インターフェースとは別のシステム制御部を配備し、そのシステム制御部とヒートポンプ制御部との間で双方向通信を行わせる構成を採っているため、ヒートポンプの運転状態などのデータを入手して、システム制御部において、空調システムのヒートポンプ以外の機器などに対し、種々のきめ細かい制御を行うことが可能になる。
第１４〜第１５発明に係る空調システムでは、所定の時間帯および／または曜日のときに所謂デマンド制御を行い、それ以外のときにデマンド制御を行わないという選択ができるようになり、省エネルギーや省コストを図ることが容易となる。
第１６発明に係る空調システムでは、住宅にいるユーザの快適度を不用意に損なうことが防止される。
【００３３】
第１７発明に係る空調システムでは、効率的に除湿ができるようになる。
第１８発明に係る空調システムでは、不意に温度が下がって住宅にいるユーザが不快に感じることを抑えつつ、除湿量を確保することができる。
第１９〜第２１発明に係る空調システムでは、定めた所定時刻に遅れることなく設定温度に住宅の温度が推移することが期待できる。
【００３４】
第２２発明に係る空調システムでは、現在温度と設定温度とが少し乖離しているような場合に、外気温度の影響があるか否かといった判断をユーザが行えるようになる。
第２３〜第２５発明に係る空調システムでは、ヒートポンプが故障したときに、ユーザが連絡先を調べる手間が省け、また確実に正しい連絡先に連絡を取ることができるようになる。
【発明を実施するための最良の形態】
【００３５】
〔第１実施形態〕
本発明の第１実施形態に係る空調システムを、図１、図２および図４に示す。この空調システムは、住宅等の平屋または低層の建物１に適用可能な空調システムであって、主として、室外ヒートポンプユニット２０および室内ヒートポンプユニット３１，４１から成るヒートポンプと、ガスファーネスユニット３５，４５と、ファンユニット３７，４７とから構成されている。室内ヒートポンプユニット３１、ガスファーネスユニット３５およびファンユニット３７は、後述するように、建物１の地下室２ｅにおいて一体化されて室内ユニット３０となっている。同様に、室内ヒートポンプユニット４１、ガスファーネスユニット４５およびファンユニット４７は、建物１の天井裏２ｆにおいて一体化されて室内ユニット４０となっている。これらの一体化については、後に詳述する。
【００３６】
地下室２ｅに設置される室内ユニット３０から１階の部屋２ａ，２ｂまでは、供給ダクト５１により空調空気が運ばれる。一方、部屋２ａ，２ｂからの還気は、部屋２ａと室内ユニット３０とを結ぶ還気ダクト５８を通って、室内ユニット３０に戻される。また、天井裏２ｆに設置される室内ユニット４０から２階の部屋２ｃ，２ｄまでは、供給ダクト５２により空調空気が運ばれる。部屋２ｃ，２ｄからの還気は、部屋２ｃと室内ユニット４０とを結ぶ還気ダクト５９を通って、室内ユニット４０に戻される。
【００３７】
＜ヒートポンプの構成＞
ヒートポンプは、１つの室外ヒートポンプユニット２０に対して２つの室内ヒートポンプユニット３１，４１が設けられている機械である。ヒートポンプでは、室外ヒートポンプユニット２０の圧縮機２２をインバータ制御して能力を調整し、室内ヒートポンプユニット３１，４１の室内電動膨張弁３３，４３の開度を調整することで、各室内ヒートポンプユニット３１，４１における冷房や暖房の能力を変動させる。ヒートポンプでは、１つの室外ヒートポンプユニット２０から延びる液冷媒用およびガス冷媒用の２本の冷媒連絡配管が、途中で分岐して、それぞれ冷媒連絡配管３９，５９となって各室内ヒートポンプユニット３１，４１に接続される。
【００３８】
ヒートポンプは、電気エネルギーを使って圧縮機２２を駆動し、冷媒回路内において冷媒を循環させ、建物１の外の空気から熱を奪って建物１の中へ熱を供給したり、建物１の中の空気から熱を奪って建物１の外へ熱を放出したりする。これにより、ヒートポンプは、後述するファン３８，４８により供給ダクト５１，５２に送り出される空気を冷却したり加熱したりする。
【００３９】
ヒートポンプの冷媒回路は、圧縮機２２、四路切換弁２３、室外熱交換器２１、室外電動膨張弁２４、室内熱交換器３２，４２および室内電動膨張弁３３，４３から構成されている。また、ヒートポンプは、冷媒回路を構成する機器の他に、室外ファン２５、室外ユニットコントローラ１３、室内ヒートポンプユニットコントローラ１４などを備えている。
【００４０】
圧縮機２２、四路切換弁２３、室外熱交換器２１、室外電動膨張弁２４、室外ファン２５および室外ユニットコントローラ１３は、室外ヒートポンプユニット２０に収容されている。室内熱交換器３２，４２、室内電動膨張弁３３，３４および室内ヒートポンプユニットコントローラ１４は、室内ヒートポンプユニット３１，４１に収容されている。
室外熱交換器２１は、室外ファン２５により吹き付けられる外気と、内部を流れる冷媒との間で熱交換を行わせる。圧縮機２２は、インバータ制御部１３ａによる駆動モータのインバータ制御によって能力調整が可能な機械であり、低圧のガス冷媒を吸い込み、それを圧縮して高圧のガス冷媒にして吐出する。
【００４１】
また、室外ユニットコントローラ１１３には、外気温センサを含む多数の温度センサや圧力センサが接続されており、ヒートポンプの各部の状態値が室外ユニットコントローラ１３に集まる。
室内ヒートポンプユニット３１，４１は、設置場所および設置の向きに違いはあるが、構成は同じであるため、ここでは室内ヒートポンプユニット３１を例にとって説明を行う。
【００４２】
室内ヒートポンプユニット３１は、室外ヒートポンプユニット２０から送られてくる冷媒を室内電動膨張弁３３で流量調整しながら室内熱交換器３２に流し、後述するファン３８により送られてくる空気と室内熱交換器３２を流れる冷媒との間で熱交換をさせる。例えば、１階の部屋２ａ，２ｂだけの冷房が必要であり、２階の部屋２ｃ，２ｄの空調を行わなくてもよい時間帯においては、室外ユニットコントローラ１３は、室内ヒートポンプユニットコントローラ１４に指令を送り、室内ヒートポンプユニット３１の室内電動膨張弁３３を大きく開き、室内ヒートポンプユニット４１の室内電動膨張弁４３を閉めて、部屋２ａ，２ｂの空調負荷に見合うように室外ヒートポンプユニット２０の圧縮機２２をインバータ制御することになる。
【００４３】
＜ガスファーネスユニットの構成＞
ガスファーネスユニット３５，４５は、ガス燃料を燃焼させて、後述するファン３８，４８により供給ダクト５１，５２に送り出される空気を加熱する。ガスファーネスユニット３５，４５は、主として、ガスの燃焼を行うガスファーネス３６，４６と、その燃焼量を制御するガスファーネスコントローラ１５，１５とから構成されている。
【００４４】
＜ファンユニットの構成＞
ファンユニット３７，４７は、シロッコファン等のファン３８，４８によって、還気ダクト５８，５９から室内空気を吸引し、供給ダクト５１，５２へと空気を送り出す役割を果たす。ここでは、ファン３８，４８が、後述するメインコントローラ１２の指令に基づいて送風量を調整することができる。
【００４５】
＜空調システムの制御装置の構成＞
空調システムの制御装置１０は、ユーザに設定温度などを入力させるとともに必要な情報をユーザに提供するコントロール・インターフェース１１と、空調システム全体の調整や制御を行うメインコントローラ１２とを核としている。メインコントローラ１２には、ヒートポンプの室外ユニットコントローラ１３、ガスファーネスユニット３５のガスファーネスコントローラ１５およびファンユニット３７のファン３８などが通信可能に電気的に接続されている。ヒートポンプの室内ヒートポンプユニットコントローラ１４は、室外ユニットコントローラ１３を介してメインコントローラ１２と接続される。
【００４６】
メインコントローラ１２は、室外ユニットコントローラ１３と双方向通信ができるように接続されている。そして、メインコントローラ１２は、ヒートポンプの運転状態に応じて、ヒートポンプの各室内ヒートポンプユニット３１，４１による冷却や加熱の程度と、ガスファーネスユニット３５，４５による加熱の程度とを調節する。
コントロール・インターフェース１１は、種々の情報を表示させるためのディスプレイと、建物１における空調設定温度の入力をユーザに行わせるための入力キーとを備えている。
【００４７】
＜室内ヒートポンプユニットとガスファーネスユニットとファンユニットの一体化＞
図３（ａ）に、室内ヒートポンプユニット３１、ガスファーネスユニット３５およびファンユニット３７から成る室内ユニット３０を、図３（ｂ）に、室内ヒートポンプユニット４１、ガスファーネスユニット４５およびファンユニット４７から成る室内ユニット４０を示す。
【００４８】
まず、室内ユニット３０であるが、地下室２ｅにおいて室内ヒートポンプユニット３１、ガスファーネスユニット３５およびファンユニット３７が一体化されることにより出現する。各ユニット３１，３５，３７は、上から見たときの形が同じ四角形状であり、縦に積み重ねられる。そして、４つのステー（図では２本のみを表示）９１を４つの角部に当て、ネジなどによって各ユニット３１，３５，３７に固定する。これにより、３つのユニット３１，３５，３７は、一体化される。
【００４９】
次に、室内ユニット４０であるが、天井裏２ｆにおいて室内ヒートポンプユニット４１、ガスファーネスユニット４５およびファンユニット４７が一体化されることにより出現する。各ユニット４１，４５，４７は、横から見たときの形が同じ四角形状であり、水平方向に並べられる。そして、４つのステー（図では２本のみを表示）９２を４つの角部に当て、ネジなどによって各ユニット４１，４５，４７に固定する。これにより、３つのユニット４１，４５，４７は、一体化される。
【００５０】
なお、地下室２ｅに設置する室内ユニット３０は床面に置かれることが多いが、天井裏２ｆに設置する室内ユニット４０については、ステー９２を屋根の梁から吊り下げることもある。また、室内ユニット４０を天井裏２ｆの屋根の梁から吊り下げる場合には、室内ユニット４０の下方に設置するドレンパンをステー９２から吊り下げることが可能である。
【００５１】
＜第１実施形態に係る空調システムの特徴＞
（１）
第１実施形態に係る空調システムでは、空調システム全体のコントロール機能をコントロール・インターフェースに持たせていた従来の空調システムとは違い、コントロール・インターフェース１１とは別のメインコントローラ１２を配備して、そのメインコントローラ１２とヒートポンプの室外ユニットコントローラ１３との間で双方向通信を行わせる構成を採っている。このため、ヒートポンプの運転状態などのデータを入手して、メインコントローラ１２において、ヒートポンプおよびガスファーネス３６に対して、種々のきめ細かい制御を行うことができる。
【００５２】
特に、能力制御が可能な圧縮機２２を有し、インバータ制御部１３ａによって圧縮機２２の容量制御を行って、各室内電動膨張弁３３，４３を制御して室内ヒートポンプユニット３１，４１毎に冷房や暖房の程度を調整できるヒートポンプを備えているため、この空調システムでは、コントロール・インターフェース１１とは別のメインコントローラ１２を配備したことが非常に有利に働く。
【００５３】
（２）
第１実施形態に係る空調システムでは、室内ヒートポンプユニット３１の室内熱交換器３２に流れる冷媒の量と室内ヒートポンプユニット４１の室内熱交換器４２に流れる冷媒の量とを、室内電動膨張弁３３，４３の開度調整により、それぞれ調整することができるため、１階の部屋２ａ，２ｂと２階の部屋２ｃ，２ｄとに対して異なる空調度合いの空気を送ることができる。
【００５４】
（３）
第１実施形態に係る空調システムでは、ステー９１を用いて３つのユニット３１，３５，３７を一体化させ、また、ステー９２を用いて３つのユニット４１，４５，４７を一体化させているため、従来のようにパテ埋めやテーピングにより一体化させるものに較べて、施工ミスが生じる確率が小さくなり、供給ダクト５１，５２や還気ダクト５８，５９が振動するような不具合も抑制される。
【００５５】
＜第１実施形態の変形例＞
上記第１実施形態に係る空調システムでは、室内ヒートポンプユニット３１を地下室２ｅに配備し、室内ヒートポンプユニット４１を天井裏２ｆに配備しているが、図５に示すように両方のユニット３１，４１を１つにまとめることも可能である。そして、両ユニット３１，４１が１つのファンユニット３７ａを共用する構成として、そのファンユニット３７ａのファン３８ａから送出される空気を、ダンパーユニット９４のダンパー９５によって両ユニット３１，４１に振り分けるようにしてもよい。この場合には、メインコントローラ１２が、両ユニット３１，４１の室内電動膨張弁３３，４３に加え、ダンパー９５の制御も行い、各部屋２ａ，２ｂ，２ｃ，２ｄに供給される空調空気の量や温度を調整することになる。
【００５６】
〔第２実施形態〕
本発明の第２実施形態に係る空調システムを、図６〜図８に示す。この空調システムは、建物等の平屋または低層の建物１０１に適用可能な空調システムであって、主として、室外ヒートポンプユニット１２０および室内ヒートポンプユニット１３１から成るヒートポンプと、ガスファーネスユニット１３５と、ファンユニット１３７とから構成されている。室内ヒートポンプユニット１３１、ガスファーネスユニット１３５およびファンユニット１３７は、建物１０１の地下室１０２ｅにおいて一体化されて、室内ユニット１３０となる。この一体化については、上記第１実施形態における室内ヒートポンプユニット３１、ガスファーネスユニット３５およびファンユニット３７の一体化と同様であるため、ここでは説明を省略する。
【００５７】
室内ユニット１３０から各部屋１０２ａ〜１０２ｄまでは、供給ダクト１５１により空調空気が運ばれる。一方、各部屋１０２ａ〜１０２ｄからの還気は、部屋１０２ａと室内ユニット１３０とを結ぶ還気ダクト１５８を通って、室内ユニット１３０に戻される。
なお、ここでは、室内ユニット１３０を地下室１０２ｅに設置しているが、天井裏１０２ｆに室内ユニットを設置することも可能である。
【００５８】
＜ヒートポンプの構成＞
ヒートポンプは、電気エネルギーを使って圧縮機１２２を駆動し、冷媒回路内において冷媒を循環させ、建物１０１の外の空気から熱を奪って建物１０１の中へ熱を供給したり、建物１０１の中の空気から熱を奪って建物１０１の外へ熱を放出したりする。これにより、ヒートポンプは、後述するファン１３８により供給ダクト１５１に送り出される空気を冷却したり加熱したりする。ヒートポンプは、冷媒回路を構成する圧縮機１２２、四路切換弁１２３、室外熱交換器１２１、室外電動膨張弁１２４および室内熱交換器１３２を備えている。また、ヒートポンプは、冷媒回路を構成する機器の他に、室外ファン１２５や室外ユニットコントローラ１１３を備えている。室外ユニットコントローラ１１３は、圧縮機１２２、室外ファン１２５および室外電動膨張弁１２４を制御する。
【００５９】
圧縮機１２２、四路切換弁１２３、室外熱交換器１２１、室外電動膨張弁１２４、室外ファン１２５および室外ユニットコントローラ１１３は、室外ヒートポンプユニット１２０に収容されている。室内熱交換器１３２は、室内ヒートポンプユニット１３１のケーシングの中に収容されている。四路切換弁１２３と室内熱交換器１３２との間および室外電動膨張弁１２４と室内熱交換器１３２との間は、冷媒連絡配管１３９により接続される。また、ヒートポンプには、アキュムレータやその他の付属機器も設けられているが、ここでは図示および説明を省略する。
【００６０】
室内熱交換器１３２は、後述するファン１２８によって送られてくる空気と、内部を流れる冷媒との間で熱交換を行わせる。室外熱交換器１２１は、室外ファン１２５により吹き付けられる外気と、内部を流れる冷媒との間で熱交換を行わせる。圧縮機１２２は、インバータ制御部１１３ａによる駆動モータのインバータ制御によって能力調整が可能な機械であり、低圧のガス冷媒を吸い込み、それを圧縮して高圧のガス冷媒にして吐出する。
室外ユニットコントローラ１１３には、外気温センサ１２７を含む多数の温度センサや圧力センサが接続されており、ヒートポンプの各部の状態値が室外ユニットコントローラ１１３に集まる。外気温センサ１２７は、建物１０１の外の空気（外気）の外気温度を測定する。
【００６１】
＜ガスファーネスユニットの構成＞
ガスファーネスユニット１３５は、ガス燃料を燃焼させて、後述するファン１３８により供給ダクト１５１に送り出される空気を加熱する。ガスファーネスユニット１３５は、主として、ガスの燃焼を行うガスファーネス１３６と、その燃焼量を制御するガスファーネスコントローラ１１５とから構成されている。
【００６２】
＜ファンユニットの構成＞
ファンユニット１３７は、シロッコファン等のファン１３８によって、還気ダクト１５８から室内空気を吸引し、供給ダクト１５１へと空気を送り出す役割を果たす。ここでは、ファン１３８が、後述するメインコントローラ１１２の指令に基づいて送風量を調整することができる。
【００６３】
＜空調システムの制御装置の構成＞
空調システムの制御装置１１０は、ユーザに設定温度などを入力させるとともに必要な情報をユーザに提供するコントロール・インターフェース１１１と、空調システム全体の調整や制御を行うメインコントローラ１１２とを核としている。メインコントローラ１１２には、ヒートポンプの室外ユニットコントローラ１１３、ガスファーネスユニット１３５のガスファーネスコントローラ１１５およびファンユニット１３７のファン１３８などが通信可能に電気的に接続されている。
【００６４】
メインコントローラ１１２は、室外ユニットコントローラ１１３と双方向通信ができるように接続されている。そして、メインコントローラ１１２は、ヒートポンプの運転状態に応じて、ヒートポンプによる冷却や加熱の程度と、ガスファーネスユニット１３５による加熱の程度とを調節する。具体的には、メインコントローラ１１２は、効率優先制御を実施している。この効率優先制御では、ヒートポンプの運転状態に応じて、ヒートポンプの電気エネルギーのエネルギー消費効率と、ガスファーネス１３６のガスエネルギーのエネルギー消費効率とを比較して、トータルのエネルギー消費効率が小さくなるように、ヒートポンプの圧縮機１２２の能力調整やガスファーネス１３６の燃焼度合いの調節を行い、室外ユニットコントローラ１１３とガスファーネスコントローラ１１５とに指令を出す。
【００６５】
コントロール・インターフェース１１１は、種々の情報を表示させるためのディスプレイ８１と、建物１０１における空調設定温度の入力をユーザに行わせるための入力キー８２〜８５とを備えている。図１４に示すように、普通の運転中において、ディスプレイ８１には、現在の空調設定温度（ここでは、７２Ｆ）の表示８１ａ、現在の実際の建物１０１内の温度（ここでは、７２Ｆ）の表示８１ｂ、現在の外気温度（ここでは、８６Ｆ）の表示８１ｃ、現在のファン１３８の風量設定（ここでは、自動）の表示８１ｄ、現在の空調システムのモード（ここでは、冷房）の表示８１ｅ、現在の時刻（ここでは、午後６時）の表示８１ｆ、本日の曜日（ここでは、金曜日）の表示８１ｇなどが存在する。例えば、現在の外気温度の表示８１ｃは、室外ユニットコントローラ１１３から外気温度の情報を常に受信しているメインコントローラ１１２によって行われる。
【００６６】
＜空調設定温度のスケジュールセット＞
図９および図１０を参照して、空調設定温度のスケジュールセットについて説明する。
メインコントローラ１１２は、スケジュール部（スケジュールプログラム）１１２ｂを備えており、メモリ１１２ａに記憶されているスケジュール情報に従って、ヒートポンプ、ガスファーネス１３６およびファン１３８を作動させる機能を有している。
【００６７】
ます、スケジュール情報のセットについて説明する。
コントロール・インターフェース１１１は、建物１０１の空調の冷房および暖房の設定温度やファンユニット１３７の送風量を、曜日および時間帯の区分毎に入力させる機能を有している。このコントロール・インターフェース１１１において入力された情報（スケジュール情報）は、メインコントローラ１１２のスケジュール部１１２ｂに送られ、メモリ１１２ａに記憶される。図１４に示す、コントロール・インターフェース１１１の入力キー８２〜８５のうち、メニューという入力キー８３を押して操作のための入力キー８５によりスケジュールセットという項目を選択すると、図１０に示すようなスケジュールセット画面がディスプレイ８１に現れる。ここでは、月曜〜日曜の各曜日について、それぞれ起床時間帯、日中時間帯、イブニング時間帯および就寝時間帯におけるユーザ所望のデータを入力することができる。具体的には、各時間帯の境界時刻、各時間帯における冷房設定温度および暖房設定温度および各時間帯におけるファン１３８による送風量を、各曜日について入力することができる。この入力は、入力キー８２〜８５により行うことができるが、図１８に示すようにコントロール・インターフェース１１１にパーソナルコンピュータ等の外部機器１１９を接続した場合には、その外部機器１１９の入力機能を利用して行うことも可能となっている。すなわち、コントロール・インターフェース１１１は、パーソナルコンピュータ等の外部機器１１９を接続するポートを有している。
【００６８】
次に、スケジュール情報に基づく、各機器の制御について説明する。
メインコントローラ１１２のスケジュール部１１２ｂは、メモリ１１２ａに記憶された冷房および暖房の設定温度やファン１３８の送風量の情報に基づき、ヒートポンプの室外ユニットコントローラ１１３、ガスファーネスコントローラ１１５およびファン１３８に指令を送り、ヒートポンプ、ガスファーネス１３６およびファン１３８を作動させる。これにより、例えば、ある日において、図９に示すようなスケジュールで空調制御が行われる。ここでは、就寝時間帯には冷房設定温度８２Ｆ，暖房設定温度６１Ｆ、起床時間帯には冷房設定温度７７Ｆ，暖房設定温度７０Ｆ、日中時間帯には冷房設定温度８６Ｆ，暖房設定温度６１Ｆ、イブニング時間帯には冷房設定温度７７Ｆ，暖房設定温度７０Ｆで空調システムが制御される。
なお、スケジュール情報に基づき、所定時刻になると、目標空調温度が、その時刻の空調設定温度に変更されるだけではなく、ここでは、所定時刻になったときに実際の建物１０１内の温度がその時刻の空調設定温度に変わっているように、予備制御が行われる。この予備制御については、後述する。
【００６９】
＜デマンド制御＞
また、メインコントローラ１１２は、そのメモリ１１２ａに、図１１に示すようなデマンド制御の可否に関するマップを有している。ここでは、コントロール・インターフェース１１１において図１１に示すデマンド制御可否セット画面によりユーザ入力を可能とし、ユーザが自由にデマンド制御の各時間帯での可否を決めることができるようにしているが、デフォルトでデマンド制御の可否に関するマップを持たせて、ユーザによる変更を禁止したり、ユーザによる変更に制限を設けたりしてもよい。デフォルトの設定では、平日（月曜日〜金曜日）の人が不在である日中時間帯および人が通常就寝している就寝時間帯でデマンド制御を可とし、それ以外の時間帯および週末（土曜日、日曜日）はデマンド制御を否としている。
【００７０】
なお、デマンド制御は、リアルタイムでヒートポンプが消費している電気エネルギー量を監視して、所定の単位時間当たりの消費エネルギー量が上限値を超えないように、圧縮機１２２の能力に制限をかけたり目標空調温度を一時的に設定温度から外したりする制御である。冷房時にデマンド制御がかかると、建物１０１内のユーザは一時的に不快になる可能性があるが、人が不在であることが多い日中時間帯や就寝時間帯であれば問題とならないことが多い。また、暖房時にデマンド制御がかかると、ヒートポンプによる暖房能力が一時的に低下するが、ガスファーネス１３６にその分の仕事をさせるような指令をメインコントローラ１１２がガスファーネスコントローラ１１５に送るため、特に問題となることはない。
このようなデマンド制御を行うことにより、省エネルギーや省コストが図られる。
【００７１】
＜スケジュールに基づく予備制御＞
上述のように、メインコントローラ１１２のスケジュール部１１２ｂは、メモリ１１２ａに記憶された冷房および暖房の設定温度やファン１３８の送風量の情報に基づき、時間帯によって目標空調温度を変える。さらに、スケジュール部１１２ｂは、現在の時間帯と次の時間帯との境界時刻において、建物１０１内の温度が次の時間帯の設定温度になるように、その境界時刻よりも前に目標空調温度を次の時間帯の設定温度に変える予備制御を行う。また、メインコントローラ１１２は、学習機能を有しており、過去の予備制御の状態に応じて、予備制御において目標空調温度を変える開始時刻を調整する。
【００７２】
この予備制御を、図１２に示す制御フローを参照して説明する。
ステップＳ１１では、設定温度が変わる境界時刻（設定温度が異なる次の時間帯が始まる時刻）ｔ１を確認し、現在の設定温度と境界時刻ｔ１以降の設定温度との温度差ΔＴを求める。
次に、ステップＳ１２では、現在の設定温度と境界時刻ｔ１以降の設定温度との温度差ΔＴから、第１マップ（図示せず）に基づいて、第１仮開始時刻を算出する。第１マップでは、冷房、暖房それぞれについて、温度差ΔＴと前倒し時間との相関関係が決められており、例えば冷房で温度差が５Ｆのときには４０分という前倒し時間が決められている。この前倒し時間だけ境界時刻ｔ１よりも早い時刻が、第１仮開始時刻となる。
【００７３】
次に、ステップＳ１３では、時間Δｔから、第２マップ（図示せず）に基づいて、第２仮開始時刻を算出する。第２マップについては後述する。
次に、ステップＳ１４では、外気温から、第３マップ（図示せず）に基づいて、予備制御の開始時刻を算出する。第３マップでは、冷房、暖房それぞれについて、設定温度と外気温との組に対して、第１マップで求まる前倒し時間に加算する修正時間が決められている。例えば、設定温度に較べて外気温が大幅に高いような場合には、そうでない場合に較べて、第３マップの修正時間が長いものとなっている。
【００７４】
次に、ステップＳ１５では、現在の時刻がステップＳ１４で算出した開始時刻を超えたか否かを判断する。開始時刻を超えていない場合には、ステップＳ１１に戻り、開始時刻を決めるためのステップＳ１１〜ステップＳ１４を再度行う。開始時刻を超えている場合には、ステップＳ１６に移行し、予備制御を始める。
ステップＳ１６の予備制御では、境界時刻ｔ１よりも前であるが、目標空調温度を境界時刻ｔ１以降の設定温度に変更し、住宅等の建物１０１内の温度を予め境界時刻ｔ１以降の設定温度に近づけていかせる。
【００７５】
ステップＳ１６は、住宅等の建物１０１内の温度が、新しく目標空調温度とした境界時刻ｔ１以降の設定温度になったときに、終了する。そして、ステップＳ１７では、ステップＳ１６の予備制御を始めてから予備制御が終了するまでに要した時間Δｔを、第２マップに書き込む。第２マップは、第１マップに対応する構成となっており、第１マップで求まる前倒し時間に加算する修正時間を決めるマップである。具体的には、第２マップは、冷房、暖房それぞれについて、温度差ΔＴごとに修正時間がセットされるものであり、修正時間のデフォルト値は０となっている。したがって、第２マップは、次々と更新されており、以前の値は新しく書き込まれた値により消えることになる。
【００７６】
なお、言うまでもないが、予備制御において目標空調温度を変わると、メインコントローラ１１２は、ヒートポンプの室外ユニットコントローラ１１３、ガスファーネスコントローラ１１５およびファン１３８に必要な指令を送ることになる。
【００７７】
＜除湿運転＞
この空調システムでは、図１３に示す制御フローに示すように、ヒートポンプによる除湿運転が行われる。以下、図１３を参照して、除湿運転について説明する。
ステップＳ３１では、ユーザにより除湿運転の指示が入力されたか否かを判断する。コントロール・インターフェース１１１では、ユーザが、除湿運転の指示を入力できる。具体的には、図１４に示す入力キー８３を押してメニューを開くと、除湿運転の開始を選択することができる。ステップＳ３１において除湿運転の指示が入力されたと判断されると、ステップＳ３４に移行する。
【００７８】
ステップＳ３２では、高温多湿地域の設定が為されているか否かを判断する。例えば、米国のフロリダ州のように、高温多湿地域の場合には、コントロール・インターフェース１１１のメニューの中にある初期設定において、高温多湿地域であるという選択が行われる。ステップＳ３２で高温多湿地域の設定が為されている場合には、次に、ステップＳ３３において、外気温が所定値以下で且つ前回の除湿運転から所定時間が経過しているか否か判断される。ステップＳ３２およびステップＳ３３の両方の条件を満たす場合には、ステップＳ３４に移行する。
【００７９】
ステップＳ３４では、除湿運転が開始される。具体的には、メインコントローラ１１２が、ヒートポンプの室外ユニットコントローラ１１３およびファン１３８に指令を送り、ファン１３８の送風量を低下させるとともに圧縮機１２２の能力を上げさせることで、建物１０１内の空気の水分を室内熱交換器１３２で結露させて奪い、除湿を行う。
この除湿運転は、所定時間が経過するまで続けられる。ステップＳ３５において、所定時間が経過したと判断されると、ステップＳ３６に移行し、ファン１３８の送風量および圧縮機１２２の能力を元に戻し、通常の空調運転に復帰する。
【００８０】
＜ヒートポンプ等の故障時の表示＞
ヒートポンプの室外ユニットコントローラ１１３は、故障検知機能を備えており、故障検知部（故障検知プログラム）１１３ｂによってヒートポンプの故障を検知する。具体的には、各種センサの値を常時監視して、運転中のセンサ値やセンサ値から演算される数値が所定範囲を逸脱したときに、故障箇所や故障状態を特定し、エラーコードなどの情報を室外ユニットコントローラ１１３からメインコントローラ１１２へ発信する。例えば、圧縮機１２２の回転数を上げているのに吐出冷媒圧力が変わらない状態が続くような場合、圧縮機１２２の故障であると判断する。
【００８１】
また、ガスファーネスコントローラ１１５も、同様の故障機能を備えており、ガスファーネス１３６の故障時には、その旨をメインコントローラに発信する。
メインコントローラ１１２は、ヒートポンプ等が故障した際の連絡先（電話番号やメールアドレスなど）を記憶するメモリ１１２ａを備えており、故障の信号を受信したときに、コントロール・インターフェース１１１のディスプレイ８１に故障を示す表示を行わせる。この表示の一例を、図１５に示す。図１５では、ディスプレイ８１に、エラーコード（ここでは、コードＬ９）の表示８１ｈや故障原因（ここでは、インバータの瞬時過電流）の表示が行われている。
【００８２】
この図１５に示す画面において、入力キー８５によってディスプレイ８１上の「モデル」という表示８１ｉを選ぶと、図１６に示す画面が現れ、ヒートポンプやガスファーネス１３６のモデル名や製造番号などが表示される。
また、図１５に示す画面において、入力キー８５によってディスプレイ８１上の「コンタクト」という表示８１ｊを選ぶと、図１７に示す画面が現れ、故障した機器の保守会社の電話番号、メールアドレス、ウェブサイト名などが表示される。この情報は、メインコントローラ１１２のメモリ１１２ａに記憶されている情報である。
【００８３】
なお、メインコントローラ１１２のメモリ１１２ａの連絡先の情報は、空調システムの初期設定時に、据付業者などの手により、コントロール・インターフェース１１１の入力キー８５あるいはコントロール・インターフェース１１１に接続されたパーソナルコンピュータ等の外部機器１１９から入力される。入力キー８５により入力を行う場合、図１８に示す画面でカーソルを入力項目に移動させて選択すると、図１９や図２０に示すように、キーボードの表示８１ｋやテンキーの表示８１ｍがディスプレイ８１上に立ち上がり、文字や数字の入力ができるようになる。
【００８４】
＜第２実施形態に係る空調システムの特徴＞
（１）
第２実施形態に係る空調システムでは、空調システム全体のコントロール機能をコントロール・インターフェースに持たせていた従来の空調システムとは違い、コントロール・インターフェース１１１とは別のメインコントローラ１１２を配備して、そのメインコントローラ１１２とヒートポンプの室外ユニットコントローラ１１３との間で双方向通信を行わせる構成を採っている。このため、ヒートポンプの運転状態などのデータを入手して、メインコントローラ１１２において、ヒートポンプおよびガスファーネス１３６に対して、種々のきめ細かい制御を行うことができている。
【００８５】
（２）
第２実施形態に係る空調システムでは、従来のように外気温度などに基づいて単純にヒートポンプを作動させるかガスファーネス１３６を作動させるかを決めるのではなく、ヒートポンプの運転状態に応じて、効率が高くなるほうを優先的に作動させる効率優先制御をメインコントローラ１１２で行っている。このため、従来に較べ、トータルのエネルギー消費量を抑制することができている。
【００８６】
（３）
第２実施形態に係る空調システムでは、所定の曜日や時間帯のときにデマンド制御を行い、それ以外のときにデマンド制御を行わないという選択が出来るようになっている（図１１参照）。これにより、デマンド制御が実施されてもあまり不快感が大きくならないときにデマンド制御を行わせて、省エネルギーや空調システムの消費エネルギーコストの低減を図りつつ、建物１０１の中をユーザにとって快適な空間に保持することができるようになっている。
【００８７】
（４）
従来の空調システムにおいては、湿度センサなどの検出結果から高湿度であるときに自動的に除湿運転が行われてしまうが、第２実施形態に係る空調システムでは、コントロール・インターフェース１１１で除湿運転の指示が入力されたときに除湿制御を実施する（図１３参照）ため、建物１０１にいるユーザの快適度を不用意に損なうことが防止される。
【００８８】
（５）
また、図１３の制御フローに示すように、メインコントローラ１１２が、高温多湿地域の設定が為されている場合に、外気温が下がると定期的に除湿運転を行うため、効率的な除湿が為されるようになる。
（６）
第２実施形態に係る空調システムでは、除湿運転時において、ファン１３８の送風量を低下させるとともに圧縮機１２２の能力を上げるため、不意に温度が下がって建物１０１に居るユーザが不快に感じることが低減される一方、除湿量を確保することができている。
【００８９】
（７）
第２実施形態に係る空調システムでは、過去の予備制御の状態を反映した第２マップによって、スケジュールに基づく予備制御の開始時刻を修正している。したがって、従来のように、スケジュールの次の時間帯の初期時刻において、建物１０１内の温度が設定温度に概ね達している確率が高くなる。
【００９０】
（８）
第２実施形態に係る空調システムでは、通常運転時において、コントロール・インターフェース１１１のディスプレイ８１に、ヒートポンプの外気温センサ１２７により測定された外気温度が表示される（図１４参照）ため、現在温度と設定温度とが少し乖離しているような場合に、外気温度の影響があるか否かといった判断をユーザが行えるようになる。
【００９１】
（９）
第２実施形態に係る空調システムでは、ヒートポンプ等が故障したときに、コントロール・インターフェース１１１のディスプレイ８１に連絡先を容易に表示させることができる（図１５および図１７参照）ため、ユーザが連絡先を調べる手間が省け、また確実に正しい連絡先に連絡を取ることができるようになる。
【００９２】
＜第２実施形態の変形例＞
（Ａ）
上記第２実施形態の空調システムでは、ヒートポンプ以外の加熱装置としてガスファーネス１３６を有するガスファーネスユニット１３５を採用しているが、これに代えて電気エネルギーによる発熱する電熱ヒータを採用することもできる。
【００９３】
（Ｂ）
上記第２実施形態では、ヒートポンプ、ガスファーネスユニット１３５およびファンユニット１３７から空調システムを構成しているが、その他に、加湿ユニット、熱交換機能付きの換気ユニット（ベンチレーター）、フィルター等を有する集塵ユニット、ダクト１５１に組み込むゾーンダンパーなどを加えることも可能である。
【００９４】
（Ｃ）
上記第２実施形態の空調システムでは、メインコントローラ１１２が効率優先制御を行っているが、効率優先制御に代えて費用優先制御を行わせることも可能である。
費用優先制御では、ヒートポンプの運転状態に応じて、同じ暖房能力を出すために、ヒートポンプが単位時間当たりに消費する電気エネルギーの費用と、ガスファーネス１３６が単位時間当たりに消費するガスエネルギーの費用とを比較して、トータルの費用が安くなるようにヒートポンプの圧縮機１２２の能力調整やガスファーネス１３６の燃焼度合いの調節を行い、室外ユニットコントローラ１１３とガスファーネスコントローラ１１５とに指令を出す。
【００９５】
（Ｄ）
上記第２実施形態の空調システムでは、コントロール・インターフェース１１１を使ってユーザが入力を行う手段として、コントロール・インターフェース１１１の入力キー８２〜８５およびコントロール・インターフェース１１１に接続する外部機器１１９（図１８参照）を挙げていますが、これ以外に入力手段を用意することも可能である。例えば、コントロール・インターフェース１１１にメモリカードなどの記録媒体の読み取り装置を内蔵させ、メモリカード等を入力手段として使うこともできる。
【００９６】
（Ｅ）
上記第２実施形態の空調システムでは、メインコントローラ１１２がガスファーネスユニット１３５の内部に収容されているが、メインコントローラ１１２の配置は、室内ヒートポンプユニット１３１の中であっても、ファンユニット１３７の中であっても、室内ユニット１３０の外に出ていてもかまわない。
【図面の簡単な説明】
【００９７】
【図１】第１実施形態に係る空調システムの配置図。
【図２】第１実施形態に係る空調システムの概略構成図。
【図３】第１実施形態に係る空調システムの各室内ユニットの組み立てを示す図。
【図４】第１実施形態に係る空調システムの制御ブロック図。
【図５】第１実施形態に係る空調システムの変形例を示す図。
【図６】第２実施形態に係る空調システムの配置図。
【図７】第２実施形態に係る空調システムの概略構成図。
【図８】第２実施形態に係る空調システムの制御ブロック図。
【図９】第２実施形態に係る空調システムの１日のスケジュールの一例を示す図。
【図１０】第２実施形態に係る空調システムのスケジュールセット画面を示す図。
【図１１】第２実施形態に係る空調システムのデマンド制御可否セット画面を示す図。
【図１２】第２実施形態に係る空調システムのスケジュールに基づく予備制御フロー。
【図１３】第２実施形態に係る空調システムの除湿運転フロー。
【図１４】第２実施形態に係る空調システムのコントロール・インターフェースの一画面を示す図。
【図１５】第２実施形態に係る空調システムのコントロール・インターフェースの一画面を示す図。
【図１６】第２実施形態に係る空調システムのコントロール・インターフェースの一画面を示す図。
【図１７】第２実施形態に係る空調システムのコントロール・インターフェースの一画面を示す図。
【図１８】第２実施形態に係る空調システムのコントロール・インターフェースの一画面を示す図。
【図１９】第２実施形態に係る空調システムのコントロール・インターフェースの一画面を示す図。
【図２０】第２実施形態に係る空調システムのコントロール・インターフェースの一画面を示す図。
【符号の説明】
【００９８】
１０    制御装置
１１    コントロール・インターフェース
１２    メインコントローラ
１３    室外ユニットコントローラ
２１    室外熱交換器
２２    圧縮機
３２    室内熱交換器
３８    ファン
４２    室内熱交換器
４８    ファン
８１    ディスプレイ
８２〜８５    入力キー
９５    ダンパー
１１０    制御装置
１１１    コントロール・インターフェース
１１２    メインコントローラ
１１２ａ    メモリ
１１２ｂ    スケジュール部
１１３    室外ユニットコントローラ
１１３ｂ    故障検知部
１２１    室外熱交換器
１２２    圧縮機
１２７    外気温センサ
１３２    室内熱交換器
１３６    ガスファーネス
１３８    ファン
１５１    供給ダクト
【図１】
2007285593.tif 000003
【図２】
2007285593.tif 000004
【図３】
2007285593.tif 000005
【図４】
2007285593.tif 000006
【図５】
2007285593.tif 000007
【図６】
2007285593.tif 000008
【図７】
2007285593.tif 000009
【図８】
2007285593.tif 000010
【図９】
2007285593.tif 000011
【図１０】
2007285593.tif 000012
【図１１】
2007285593.tif 000013
【図１２】
2007285593.tif 000014
【図１３】
2007285593.tif 000015
【図１４】
2007285593.tif 000016
【図１５】
2007285593.tif 000017
【図１６】
2007285593.tif 000018
【図１７】
2007285593.tif 000019
【図１８】
2007285593.tif 000020
【図１９】
2007285593.tif 000021
【図２０】
2007285593.tif 000022